(57)【要約】  ニードルホルダが一時にスライディングされ、ニードル貫通孔に隣接するか否かということをセンシングさせることにより、ニードルホルダに装着されたニードルが患者に刺し込まれるか否かということを簡単に把握するように構成された薬液注入装置である。【選択図】図１
2019507665.tif 000002
【特許請求の範囲】
【請求項１】
ニードル貫通孔を有するケーシングと、
前記ケーシング外部に露出されたボタンと、
前記ケーシング内に位置し、ニードルと結合され、前記ニードル貫通孔と対向するように位置し、前記ボタンの動作により、前記ニードル貫通孔に向けて駆動するように具備されたニードルホルダと、
前記ケーシング内に位置し、前記ニードルホルダが前記ニードル貫通孔に隣接するか否かということをセンシングするように具備されたセンサと、
前記センサと電気的に連結されたコントローラと、を含む薬液注入装置。
【請求項２】
前記センサは、
前記ニードル貫通孔に隣接するように位置した第１センシング部材と、
前記ニードルホルダに結合され、前記第１センシング部材と対向するように位置した第２センシング部材と、を含む、請求項１に記載の薬液注入装置。
【請求項３】
前記センサと電気的に連結され、前記ニードルホルダが前記ニードル貫通孔に隣接する場合、知らせが発生するように具備されたお知らせ素子をさらに含む、請求項１に記載の薬液注入装置。
【請求項４】
前記コントローラは、
前記ニードルを介した薬液の注入を制御するように具備された第１プロセッサと、
前記センサを介して、前記ニードルホルダが前記ニードル貫通孔に隣接するか否かということを判断し、前記ニードルホルダが前記ニードル貫通孔に隣接する場合、前記第１プロセッサを介して、前記薬液の注入を実施するように具備された第２プロセッサと、を含む、請求項１に記載の薬液注入装置。
【請求項５】
前記ボタンと前記ニードルホルダとの間に介在されたスプリングと、
前記ケーシング内に位置し、前記ニードルホルダを支持するガイディング部材と、をさらに含む、請求項１ないし４のうちいずれか１項に記載の薬液注入装置。
【請求項６】
ニードル貫通孔が形成されたベースを含むケーシングと、
前記ケーシング内に位置し、ニードルと結合され、前記ニードル貫通孔に向けて駆動するように具備されたニードルホルダと、
前記ケーシング内に位置し、前記ニードルホルダが前記ニードル貫通孔に隣接するか否かということをセンシングするように具備されたセンサと、
前記センサと電気的に連結されたコントローラと、を含み、
前記ニードルホルダは、第１状態において、前記ベースから離隔されるように位置し、第２状態において、前記ニードル貫通孔に隣接するように位置するように具備され、
前記コントローラは、前記第２状態において、前記ニードルホルダが前記ニードル貫通孔に隣接するか否かということを判断するように具備された薬液注入装置。
【請求項７】
前記センサは、
前記ニードル貫通孔に隣接するように位置した第１センシング部材と、
前記ニードルホルダに結合され、前記第１センシング部材と対向するように位置した第２センシング部材と、を含む、請求項６に記載の薬液注入装置。
【請求項８】
前記センサと電気的に連結され、前記第２状態において、前記ニードルホルダが前記ニードル貫通孔に隣接する場合、知らせが発生するように具備されたお知らせ素子をさらに含む、請求項６に記載の薬液注入装置。
【請求項９】
前記コントローラは、
前記ニードルを介した薬液の注入を制御するように具備された第１プロセッサと、
前記第２状態において、前記ニードルホルダが前記ニードル貫通孔に隣接する場合、前記第１プロセッサを介して、前記薬液の注入を実施するように具備された第２プロセッサと、を含む、請求項６に記載の薬液注入装置。
【請求項１０】
前記ニードルホルダを支持するように具備されたスプリングさらに含み、
前記ニードルホルダは、前記第１状態から前記第２状態に進むとき、前記スプリングの弾性により、前記ニードル貫通孔に向けて駆動するように具備された、請求項６ないし９のうちいずれか１項に記載の薬液注入装置。
【発明の詳細な説明】
【技術分野】
【０００１】
本発明は、薬液注入装置に関する。
【背景技術】
【０００２】
インシュリン注入装置のような薬液注入装置は、患者の体内に薬液を注入するために使用されるが、それは、医師や看護婦のような専門医療陣によって使用されたりもするが、ほとんどの場合、患者自身または保護者のような一般人によって使用されている。そして、かような薬液注入装置を介して注入される薬液は、患者が長期間服用しなければならない場合が多いために、患者は、薬液注入装置のニードルが何回にもわたって刺し込まれる苦痛を経る。
【０００３】
かような薬液注入装置は、薬液が吐出されるニードルを有し、このニードルが患者の体に刺し込まれなければならないが、この過程において、患者は、ニードル刺し込みによる苦痛を不可避的に経る。それだけではなく、かようなニードル刺し込みに係わる苦痛は、患者をして、薬液注入装置に対して恐怖感を抱かせ、結果として、薬液注入装置に対する拒否感を惹き起こさせる。同時に、ニードル刺し込みに対する恐怖感は、ニードルが十分に患者に刺し込まれたか否かということに対する患者の客観的な認知を困難にもする。それにより、患者にニードルが十分に刺し込まれていないにもかかわらず、患者が薬物を注入する操作を行う恐れがある。
【発明の概要】
【発明が解決しようとする課題】
【０００４】
本発明の実施形態は、前述のような問題及び／または限界を解決するためのものであり、ニードル刺し込みに対する苦痛及び恐怖感を最小化させ、ニードル刺し込みいかん（ニードルが刺し込まれたか否か）を明確に把握させる薬液注入装置を提供するところに目的がある。
【課題を解決するための手段】
【０００５】
前述のような目的を達成するために、一実施形態は、ニードル貫通孔を有するケーシングと、前記ケーシング外部に露出されたボタンと、前記ケーシング内に位置し、ニードルと結合され、前記ニードル貫通孔と対向するように位置し、前記ボタンの動作により、前記ニードル貫通孔に向けて駆動するように具備されたニードルホルダと、前記ケーシング内に位置し、前記ニードルホルダが前記ニードル貫通孔に隣接するか否かということをセンシングするように具備されたセンサと、前記センサと電気的に連結されたコントローラと、を含む薬液注入装置を提供することができる。
【０００６】
前記センサは、前記ニードル貫通孔に隣接するように位置した第１センシング部材と、前記ニードルホルダに結合され、前記第１センシング部材と対向するように位置した第２センシング部材と、を含んでもよい。
【０００７】
前記センサと電気的に連結され、前記ニードルホルダが前記ニードル貫通孔に隣接する場合、知らせが発生するように具備されたお知らせ素子をさらに含んでもよい。
【０００８】
前記コントローラは、前記ニードルを介した薬液の注入を制御するように具備された第１プロセッサと、前記センサを介して、前記ニードルホルダが前記ニードル貫通孔に隣接するか否かということを判断して、前記ニードルホルダが前記ニードル貫通孔に隣接する場合、前記第１プロセッサを介して、前記薬液の注入を実施するように具備された第２プロセッサと、を含んでもよい。
【０００９】
前記ボタンと前記ニードルホルダとの間に介在されたスプリングと、前記ケーシング内に位置し、前記ニードルホルダを支持するガイディング部材を、さらに含んでもよい。
【００１０】
他の一実施形態によれば、ニードル貫通孔が形成されたベースを含むケーシングと、前記ケーシング内に位置し、ニードルと結合され、前記ニードル貫通孔に向けて駆動するように具備されたニードルホルダと、前記ケーシング内に位置し、前記ニードルホルダが前記ニードル貫通孔に隣接するか否かということをセンシングするように具備されたセンサと、前記センサと電気的に連結されたコントローラと、を含み、前記ニードルホルダは、第１状態において、前記ベースから離隔されるように位置し、第２状態において、前記ニードル貫通孔に隣接するように位置するように具備され、前記コントローラは、前記第２状態において、前記ニードルホルダが前記ニードル貫通孔に隣接するか否かということを判断するようにも具備される。
【００１１】
前記センサは、前記ニードル貫通孔に隣接するように位置した第１センシング部材と、前記ニードルホルダに結合され、前記第１センシング部材と対向するように位置した第２センシング部材と、を含んでもよい。
【００１２】
前記センサと電気的に連結され、前記第２状態において、前記ニードルホルダが前記ニードル貫通孔に隣接する場合、知らせが発生するように具備されたお知らせ素子をさらに含んでもよい。
【００１３】
前記コントローラは、前記ニードルを介した薬液の注入を制御するように具備された第１プロセッサと、前記第２状態において、前記ニードルホルダが前記ニードル貫通孔に隣接する場合、前記第１プロセッサを介して、前記薬液の注入を実施するように具備された第２プロセッサと、を含んでもよい。
【００１４】
前記ニードルホルダを支持するように具備されたスプリングさらに含み、前記ニードルホルダは、前記第１状態から前記第２状態に進むとき、前記スプリングの弾性により、前記ニードル貫通孔に向けて駆動するようにも具備される。
【００１５】
前記ガイディング部材は、前記第１状態において、前記第１サポートを支持するように具備された第２サポートを含んでもよい。
【発明の効果】
【００１６】
前述のような本発明の実施形態によれば、スプリングの弾性を利用し、ニードルホルダが瞬時にスライディングされるようにすることにより、ニードルホルダに装着されたニードルが患者に瞬間的に刺し込まれる。
ニードルの瞬間的刺し込みにより、患者が受ける苦痛を最小化させることができ、ニードルによる患者の恐怖感を減らすことができる。
従って、長期間薬液を提供されなければならない患者の、薬液注入装置に対する拒否感を減らすことができ、患者に薬液が円滑に投入されることにより、患者の治療及び／または健康に寄与することができる。
ニードルが十分に突出され、患者に刺し込まれたか否かということを患者の感覚ではないニードルの突出いかん（ニードルが突出したか否か）の感知を介して確認することができるために、さらに正確な薬液注入がなされる。
また、ニードルが十分に突出された状態でのみ薬液注入がなされることにより、患者が薬物を注入することができる正確なタイミングを容易に把握することができ、薬物が目標とする部分に正確に投入される。
【図面の簡単な説明】
【００１７】
【図１】一実施形態による薬液注入装置の斜視図である。
【図２】図１に図示された薬液注入装置の分離斜視図である。
【図３】一実施形態によるボタンの斜視図である。
【図４】図３に図示されたボタンの底面斜視図である。
【図５】一実施形態によるニードルホルダの斜視図である。
【図６】図５に図示されたニードルホルダの底面図である。
【図７】一実施形態による第２ケーシングの平面図である。
【図８】図７に図示された第２ケーシングの一部を示す一部斜視図である。
【図９】一実施形態によるセンサ及びコントローラを概略的に図示した構成図である。
【図１０Ａ】第１状態において、ニードルホルダ及びガイディング部材の状態を図示した図面である。
【図１０Ｂ】第２状態において、ニードルホルダ及びガイディング部材の状態を図示した図面である。
【図１１】一実施形態によるニードルカバー組み立て体の斜視図である。
【発明を実施するための形態】
【００１８】
本発明は、多様な変換を加えることができ、さまざまな実施形態を有することができるが、特定の実施形態を図面に例示し、詳細な説明によって詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態にも具現される。
【００１９】
以下、添付された図面を参照し、本発明の実施形態について詳細に説明するが、図面を参照して説明するとき、同一であったり対応したりする構成要素は、同一の図面符号を付し、それらに係わる重複説明は、省略する。
以下の実施形態において、単数の表現は、文脈上明白に異なって意味しない限り、複数の表現を含む。
以下の実施形態において、「含む」または「有する」というような用語は、明細書上に記載された特徴または構成要素が存在するということを意味するものであり、１以上の他の特徴または構成要素が付加される可能性をあらかじめ排除するものではない。
以下の実施形態において、膜、領域、構成要素などの部分が、他の部分の上または上部にあるというとき、他の部分の真上にある場合だけではなく、その中間に、他の膜、領域、構成要素などが介在されている場合も含む。
ある実施形態が異なって具現可能である場合、特定の工程順序は、説明される順序と異なるようにも遂行される。例えば、連続して説明される２つの工程が実質的に同時に遂行されもし、説明される順序と反対の順序にも進められる。
図面においては、説明の便宜のために、構成要素がその大きさが誇張されていたり縮小されていたりする。例えば、図面に示された各構成の大きさ及び厚みは、説明の便宜のために任意に示されているので、以下の実施形態は、必ずしも図示されたところに限定されるものではない。
【００２０】
図１は、一実施形態による薬液注入装置の斜視図である。
一実施形態による薬液注入装置１００は、一面にボタン１２０が露出されるように具備され、他の面には、ニードルカバー組み立て体１９０が具備されている。
【００２１】
前記ボタン１２０は、ユーザが加圧及び／または回転させることができるように具備され、ユーザに露出されている。前記ニードルカバー組み立て体１９０は、ニードルを保護するように具備されたものであり、ユーザが薬液注入装置１００を使用する時に分離する。
【００２２】
前述のような薬液注入装置は、図２から分かるように、さらに具体的に構成される。
一実施形態による薬液注入装置は、ケーシングを含んでもよいが、前記ケーシングは、互いに結合される第１ケーシング１１０と第２ケーシング１５０とを含んでもよい。
【００２３】
前記第１ケーシング１１０は、ユーザが薬液注入装置を体に装着した後にも、ユーザに露出される部分になり、一部に、開口１１１が形成されている。前記開口１１１を介してボタン１２０が通過され、ボタン１２０は、ユーザに露出される。
【００２４】
互いに結合される第１ケーシング１１０と第２ケーシング１５０との間、すなわち、ケーシングの内部には、ボタン１２０、スプリング１３０、ニードルホルダ１４０、ポンプ１６０、薬液保存部１７０、センサ１８３及びコントローラ１８０が位置する。
【００２５】
薬液保存部１７０は、図面に図示されていないが、薬液を保存する保存槽と、薬液の吐出を可能にさせるピストンと、を含んでもよいが、必ずしもそれらに限定されるものではなく、ただ保存槽のみを含んでもよく。薬液は、例えば、インシュリンのような薬物を含む液体でもある。
【００２６】
前記薬液保存部１７０は、ポンプ１６０にチューブのような液連結部材を介して連結される。前記ポンプ１６０は、薬液をニードルホルダ１４０の方向にポンピングするように構成されたものであり、ポンピング周期により、一定量の薬液をポンピングすることができる。かようなポンプ１６０は、図示されていない別途の電源に電気的に連結され、コントローラ１８０に電気的に連結され、前記コントローラ１８０は、ポンプ１６０を介して、薬液の注入を制御することができる。ポンプ１６０は、薬液保存部１７０から薬液を吸入し、ニードルホルダ１４０に吐出するようにも具備される。
【００２７】
前記ポンプ１６０は、電気により、薬液吸入力と薬液吐出力とを有する全種のポンプが使用される。例えば、機械変位型マイクロポンプや電磁気運動型マイクロポンプのような全種のポンプが使用される。前記機械変位型マイクロポンプは、流体の流れを誘導するために、圧力差を起こすようにギアやダイヤフラムのような固体あるいは流体の運動を利用するポンプである、ダイヤフラム変位ポンプ（diaphragm displacement pump）、流体変位ポンプ（fluid displacement pump）、回転ポンプ（rotary pump）などがある。前記電磁気運動型マイクロポンプは、電気的形態または磁気的形態のエネルギーをすぐ流体の移動に利用するポンプであり、電気流体力学ポンプ（ＥＨＤ：electrohydrodynamic pump）、電気浸透式ポンプ（electro osmotic pump）、磁気流体力学ポンプ（magneto hydrodynamic pump）、電気湿式ポンプ（electro wetting pump）などがある。
【００２８】
前記ポンプ１６０は、チューブＴＵ及びコネクタＣＮを経て、ニードルホルダ１４０に連結される。ポンプ１６０に連結されたチューブＴＵは、コネクタＣＮに連結され、それは、ニードルホルダ１４０に支持された状態で、ニードルＮＤにも連結される。従って、ポンプ１６０から吐出された薬液は、チューブＴＵ及びコネクタＣＮを経て、ニードルＮＤを介して吐出される。そのために、前記ニードルホルダ１４０は、ニードルＮＤと結合されている。
【００２９】
前記ニードルホルダ１４０は、ボタン１２０と対向するように配置され、ニードルホルダ１４０とボタン１２０との間には、スプリング１３０が介在される。ボタン１２０、スプリング１３０及びニードルホルダ１４０は、軸ＡＸに沿って整列される。前記軸ＡＸは、図面のＺ軸と平行である。
【００３０】
図２に図示された実施形態において、薬液保存部１７０及びポンプ１６０は、概略的な状態を知ることができるように示されたものであり、必ずしも図面に図示された形状及び／または配置に限定されないということは言うまでもない。
【００３１】
前記ケーシング内には、センサ１８３がさらに位置するが、前記センサ１８３は、前記ニードルホルダ１４０が、第２ケーシング１５０に形成されたニードル貫通孔に隣接するか否かということをセンシングするようにも具備される。一実施形態によれば、前記センサ１８３は、ニードルが、カバー外に吐出される第２状態において、ニードルホルダ１４０が、第２ケーシング１５０のベースに接するか否かということをセンシングするようにも具備される。
【００３２】
選択的実施形態によれば、前記センサ１８３は、ニードル貫通孔に隣接するように位置した第１センシング部材１８３ａと、ニードルホルダ１４０に結合された第２センシング部材１８３ｂと、を含んでもよい。第１センシング部材１８３ａは、第２ケーシング１５０に結合されるが、第１センシング部材１８３ａと第２センシング部材１８３ｂは、互いに対向する位置に位置することができる。第１センシング部材１８３ａは、図２から分かるように、ＦＰＣＢに形成され、それを介して、コントローラ１８０と電気的に連結される。
【００３３】
図３及び図４は、それぞれ一実施形態によるボタン１２０の斜視図及び底面斜視図である。
前記ボタン１２０は、概して円筒状にも形成され、軸ＡＸを中心に、回転方向Ｒ１に沿って回転自在に具備される。ボタン１２０のＺ軸方向の表面１２１に、ユーザが前記ボタン１２０を回転しやすいように、回転溝１２２が形成されている。ユーザは、この回転溝１２２に、爪または小銭を挿入し、容易にボタン１２０を回転させることができる。
【００３４】
前記ボタン１２０は、円筒状側面１２３を具備することができるが、この側面１２３上端近傍には、リング部材ＯＲが挿入されている。このリング部材ＯＲは、Ｏリングが使用されるが、ボタン１２０と、第１ケーシング１１０の開口１１１との間に薬液が漏れる心配を防止する。または、前記リング部材ＯＲは、ボタン１２０がユーザによって加圧されるとき、この加圧に所定の抵抗力を提供することができ、かつ／またはボタン１２０が押された後、容易に飛び出さないように機能することができる。
【００３５】
前記側面１２３には、図３及び図４から分かるように、締結開口１２７が形成されもする。前記締結開口１２７は、側面１２３の互いに対称となる部分に、少なくとも１対具備される。前記締結開口１２７は、側面１２３のＺ軸方向の概して中央部に位置することができるが、それにより、締結開口１２７のエッジには、締結台１２３ａが形成される。前記締結開口１２７は、後述するストッパに締結され、このとき、締結台１２３ａがストッパにかかることにより、ボタン１２０の離脱を防止することができる。かような締結開口１２７は、ボタン１２０がストッパに締結された状態で、回転方向Ｒ１に沿って回転自在に、前記側面１２３の外周面に沿って、Ｘ−Ｙ平面方向に延長されるようにも形成される。
【００３６】
前記側面１２３の締結開口１２７に隣接した部分には、第１溝１２８ａが形成されている。前記第１溝１２８ａは、締結開口１２７が、ストッパに締結されるとき、所定の弾性を付与し、各締結開口１２７の両側に位置することができる。
【００３７】
前記側面１２３には、第２溝１２８ｂがさらに形成されるが、前記ボタン１２０がニードルホルダ１４０と結合したとき、コネクタＣＮが第２溝１２８ｂを介して側面１２３を貫通することができる。
【００３８】
前記ボタン１２０の内側、例えば、ニードルホルダ１４０に対向した面には、図４から分かるように、第１結合部１２５が具備される。前記第１結合部１２５は、後述するニードルホルダ１４０の第２結合部と結合可能になるように具備されたものであり、ニードルホルダ１４０の方向に突出して互いに対向するように離隔された第１−１結合突起１２５ａと第１−２結合突起１２５ｂとを有し、前記第１−１結合突起１２５ａと第１−２結合突起１２５ｂとの間に間隙１２５ｃが具備される。前述のような第１結合部１２５は、後述する第２結合部と、必ずしも固定して締結される必要はなく、ユーザがボタン１２０を加圧することにより、第２結合部と噛み合い、ユーザがボタン１２０を回転させるとき、ボタン１２０の回転力をニードルホルダ１４０に伝達することができるものであるならば、いかなる形態でもよい。
【００３９】
図５及び図６は、それぞれ一実施形態によるニードルホルダ１４０の斜視図及び底面図である。
一実施形態によるニードルホルダ１４０は、回転方向Ｒ１に沿って回転しやすいように、概して円形状の本体１４１を有する。前述のように、ポンプ１６０と連結されたコネクタＣＮは、前記本体１４１にも結合される。
【００４０】
そして本体１４１には、ボタン１２０と反対側方向に向け、ニードルＮＤが結合されているが、このニードルＮＤは、コネクタＣＮと連結され、結局、チューブＴＵと連通される。前記ニードルＮＤは、図６から分かるように、本体１４１の底面１４９の真中央に位置することができる。
【００４１】
本体１４１のコネクタＣＮと結合された部分の反対側には、支持台１４５がＺ軸方向に立設される。前記支持台１４５は、本体１４１のエッジに沿って、円周方向に形成されるが、チューブＴＵの張力により、ニードルホルダ１４０が一側に傾くことを防止し、ニードルホルダ１４０が、ニードルＮＤの刺し込み方向Ｋに沿って直線運動を行うことができるように、ガイディングする役割を行うことができる。
【００４２】
前記本体１４１のボタン１２０に対向する面には、第２結合部１４２が具備される。
前記第２結合部１４２は、前述の第１結合部１２５と結合自在に具備されたものであり、ボタン１２０方向に突出して互いに離隔された第２−１結合突起１４２ａ及び第２−２結合突起１４２ｂを有することができる。前記第２−１結合突起１４２ａ及び第２−２結合突起１４２ｂは、ユーザがボタン１２０を加圧することにより、第１結合部１２５と噛み合い、ユーザがボタン１２０を回転させるとき、ボタン１２０の回転力がニードルホルダ１４０に伝達されるものであるならば、いかなる形態でもよい。例えば、前記第１結合部１２５と第２結合部１４２とが互いに結合するとき、前記第２−１結合突起１４２ａ及び第２−２結合突起１４２ｂの間に、前記第１−１結合突起１２５ａと第１−２結合突起１２５ｂとの間隙１２５ｃが嵌め込まれる。それにより、第１結合部１２５と第２結合部１４２とが互いに噛み合うことになる。
【００４３】
一方、図２に図示されたスプリング１３０は、一端に、第１結合部１２５が挿入され、他端に、第２結合部１４２が挿入され、ボタン１２０とニードルホルダ１４０との間に固定される。前記スプリング１３０は、ある程度圧縮された状態で、ボタン１２０とニードルホルダ１４０との間に結合されるが、必ずしもそれに限定されるものではなく、ユーザがボタン１２０を押していない状態で、ボタン１２０とニードルホルダ１４０との間で、圧縮状態ではない正常状態でも介在される。
【００４４】
前記ニードルホルダ１４０は、第１サポート１４６及びガイディング溝１４４を含んでもよい。
前記第１サポート１４６は、ニードルホルダ１４０が回転する前の第１状態において、後述するガイディング部材１５５（図１０）に支持され、第２ケーシング１５０のベース１５１から、一定程度離隔されるように位置する。すなわち、前記第１状態において、前記ニードルホルダ１４０は、ベース１５１からＺ軸方向に、ある程度浮いている状態にもなる。
【００４５】
前記ガイディング溝１４４は、前記第１サポート１４６に隣接するように位置することができるが、図５及び図６から分かるように、前記ガイディング溝１４４は、前記第１サポート１４６から、前記回転方向Ｒ１に反対方向に隣接するように位置することができる。前記ガイディング溝１４４は、前記本体１４１に、所定幅切開された形態に形成されるが、本体１４１を、ニードルＮＤ刺し込み方向Ｋ、例えば、図面のＺ軸方向に貫通するようにも具備される。前記ガイディング溝１４４は、ニードルホルダ１４０が回転された状態である第２状態において、後述するガイディング部材１５５が通過するように具備される。すなわち、第２状態において、前記ガイディング溝１４４にガイディング部材１５５が嵌め込まれ、このとき、スプリング１３０により、ニードルホルダ１４０は、ニードルＮＤ刺し込み方向Ｋに沿ってスライディングされる。
【００４６】
前述のような第１サポート１４６は、本体１４１の前記刺し込み方向Ｋに向かう面に、Ｚ軸方向に所定深みの溝形状に形成されたサポート溝１４６ａを含んでもよい。このサポート溝１４６ａは、前記ガイディング溝１４４と連結されるように具備されるが、サポート溝１４６ａとガイディング溝１４４との間には、サポートストッパ１４６ｂが位置することができる。前記サポートストッパ１４６ｂは、サポート溝１４６ａが形成される方向と反対方向に突出した突起状にも具備される。前記サポート溝１４６ａには、第１状態において、後述するガイディング部材が支持され、前記サポートストッパ１４６ｂは、前記ニードルホルダ１４０が、第１状態から第２状態に変換されるとき、すなわち、ニードルホルダ１４０が回転方向Ｒ１に沿って回転するとき、この回転に所定程度の抵抗力を提供することができる。従って、ユーザが、この抵抗力以上の力でボタンを回転させれば、ニードルホルダ１４０が回転方向Ｒ１に沿って回転する。
【００４７】
一実施形態によれば、前記ニードルホルダ１４０には、第２センシング部材１８３ｂが設置される。前記第２センシング部材１８３ｂは、本体１４１の底面１４９エッジに位置する。それにより、ニードルホルダ１４０が、第２ケーシング１５０のベースに向けて駆動され、ニードルホルダ１４０が、ニードル貫通孔に隣接するか否かということをセンシングすることができる。前記第２センシング部材１８３ｂは、ニードルホルダ１４０がニードル貫通孔に隣接したとき、第２ケーシング１５０に設置される第１センシング部材と接することができるように具備され、第１センシング部材とコンタクト自在に突出されるようにも形成される。
【００４８】
前記第２センシング部材１８３ｂは、導電性素材から形成されるが、必ずしもそれに限定されるものではなく、前記第１センシング部材１８３ａと接することにより、ニードルホルダ１４０のニードル貫通孔に隣接するか否かということをセンシングすることができるものであるならば、いかなるものでも適用される。一実施形態によれば、前記第２センシング部材１８３ｂは、必ずしもコントローラ１８０に電気的に連結される必要はなく、接地状態でもある。
【００４９】
図７は、一実施形態による第２ケーシング１５０の平面図であり、図８は、第２ケーシング１５０の一部を示す一部斜視図である。
第１ケーシング１１０と結合される第２ケーシング１５０は、ベース１５１を含んでもよい。前記ベース１５１は、第２ケーシング１５０の一部でもあるが、第２ケーシング１５０とは別個に形成され、第２ケーシング１５０の底にも結合される。
【００５０】
ベース１５１の概して中央部には、ニードルが通過するように形成されたニードル貫通孔１５３が形成される。
ニードル貫通孔１５３の周囲には、概して円筒形状のガイドウォール１５２が形成される。前記ガイドウォール１５２は、ベース１５１から第１ケーシングに向け、Ｚ軸方向に突出するようにも具備される。
【００５１】
図７を参照するとき、前記ガイドウォール１５２の平面外径は、ボタン１２０の側面１２３内径より小さい。それにより、ボタン１２０が押されたとき、ボタン１２０の側面１２３がガイドウォール１５２外側に位置し、結局、ボタン１２０が、ガイドウォール１５２に沿って、ニードルホルダ１４０に向かう方向、すなわち、ニードル刺し込み方向Ｋに沿って直線状のスライディング運動が可能である。
【００５２】
前記ガイドウォール１５２の一部には、図８から分かるように、ベース１５１からその反対側端部に至るまで切開された切開溝１５２ｈが形成される。前記切開溝１５２ｈを介して、ニードルホルダ１４０のコネクタＣＮが通過する。
【００５３】
ガイドウォール１５２の内側面には、ガイディング部材１５５が具備される。前記ガイディング部材１５５は、ニードル刺し込み方向Ｋ、例えば、Ｚ軸方向に沿って延長されるように形成されるが、レール状にも形成される。かようなガイディング部材１５５は、前述の第２状態において、ガイディング溝１４４に挿入され、ニードルホルダ１４０は、ガイディング部材１５５に沿って、刺し込み方向Ｋにスライディングされる。
【００５４】
ガイディング部材１５５の一端、すなわち、ガイディング部材１５５の第１ケーシング１１０に向かう端部には、前述の第１状態において、第１サポートを支持するように具備された第２サポート１５４が形成される。前記第２サポート１５４は、図８から分かるように、第２−１サポート部１５４ａ及び第２−２サポート部１５４ｂを含んでもよい。前記第２−１サポート部１５４ａ及び第２−２サポート部１５４ｂは、互いに連結されるが、前記第２−１サポート部１５４ａは、ニードルホルダの回転方向に対して下流に位置し、前記第２−２サポート部１５４ｂは、ニードルホルダの回転方向に対して上流に位置することができる。このとき、前記第２−１サポート部１５４ａが、前記第２−２サポート部１５４ｂより前記ボタンに隣接するように位置することにより、ニードルホルダ１４０が回転方向Ｒ１に沿って回転するとき、この回転に所定程度の抵抗力を提供することができる。従って、ユーザが、この抵抗力以上の力でボタンを回転させれば、ニードルホルダ１４０が回転方向Ｒ１に沿って回転する。
【００５５】
ガイドウォール１５２の外側面には、ストッパ１５７が形成される。前記ストッパ１５７は、ガイドウォール１５２の外側面からＸ軸方向に突出した突起にもなるが、図８から分かるように、ガイドウォール１５２の外周面に沿って、Ｘ−Ｙ平面方向に延長される。
【００５６】
前記ストッパ１５７は、前記ボタン１２０のＺ軸方向のスライディングをコントロールするように具備されたものであり、Ｚ軸方向に沿って平行に離隔された第１ストッパ１５７ａ及び第２ストッパ１５７ｂを含んでもよい。前記第１ストッパ１５７ａ及び第２ストッパ１５７ｂは、図３及び図４から分かるように、ボタン１２０の締結開口１２７に挿入され、締結台１２３ａが、第１ストッパ１５７ａ及び第２ストッパ１５７ｂにかかるようになり、ボタン１２０が刺し込み方向Ｋの反対方向に離脱することを防止することができる。第１ストッパ１５７ａは、ボタン１２０が加圧される前状態において、締結開口１２７に締結され、第２ストッパ１５７ｂは、ボタン１２０が加圧された状態において、締結開口１２７に締結される。
【００５７】
選択的に、一実施形態によれば、前記第２ケーシング１５０には、第１センシング部材１８３ａがさらに設置される。前記第１センシング部材１８３ａは、ＦＰＣＢに設置され、このＦＰＣＢが第２ケーシング１５０のベースに結合される。前記ＦＰＣＢを介して、前記第１センシング部材１８３ａは、コントローラ１８０と電気的に連結される。図面には、前記コントローラ１８０が、第１センシング部材１８３ａと同一ＦＰＣＢに設置されているように図示されているが、本発明は、必ずしもそれに限定されるものではなく、第１センシング部材１８３ａが設置されたＦＰＣＢとは別個の回路基板に設置され、互いに電気的に連結されうるということは言うまでもない。
【００５８】
前記第１センシング部材１８３ａは、ニードル貫通孔１５３に隣接するように位置することができるが、そのために、ガイドウォール１５２の内側まで延長される。すなわち、コネクタＣＮが通過するように形成されたガイドウォール１５２の切開部を介して、ガイドウォール１５２の内側まで延長され、ニードル貫通孔１５３に隣接した位置に位置することになる。
【００５９】
図９は、一実施形態によるセンサ１８３及びコントローラ１８０を概略的に図示した構成図である。
一実施形態によるセンサ１８３は、前述のように、ニードルホルダ１４０が、ニードル貫通孔１５３に隣接するか否かということをセンシングするように具備されたものであり、コントローラ１８０に電気的に連結される。
【００６０】
前記コントローラ１８０は、前述のように、ポンプと電気的に連結され、ニードルを介した薬液の注入を制御するだけではなく、前記センサ１８３を介して、ニードルホルダがニードル貫通孔１５３に隣接するか否かということを判断することができる。
【００６１】
一実施形態によれば、前記コントローラ１８０は、第１プロセッサ１８１及び第２プロセッサ１８２を含んでもよい。前記第１プロセッサ１８１は、ポンプを制御するものであり、ニードルを介した薬液の注入を制御することができる。前記第２プロセッサ１８２は、センサ１８３を介して、ニードルホルダがニードル貫通孔１５３に隣接するか否かということを判断し、ニードルホルダがニードル貫通孔に隣接する場合にのみ、前記第１プロセッサ１８１を介して薬液の注入がなされるようにする。従って、ニードルホルダ１４０がニードル貫通孔１５３に隣接しない場合、ユーザが薬物注入操作をしたとしても、注入はなされない。
【００６２】
ニードルホルダ１４０がニードル貫通孔１５３に隣接しているというのは、ニードルが十分に第２ケーシング外側に突出されたことを意味し、それは、結局、ニードルが患者の体に刺し込まれたことを意味する。従って、第２プロセッサ１８２は、ニードルホルダ１４０がニードル貫通孔１５３に隣接したとセンシングされれば、患者の体にニードルが十分に刺し込まれたと判断し、第１プロセッサ１８１による薬液注入が可能になるのである。それにより、ニードルが患者に十分に刺し込まれていない場合、薬液注入が始まることを防止することができ、それは、薬液が外部に漏れるか、あるいは薬液が目標個所に投入されないというような問題を予防することができる。
【００６３】
前記第１プロセッサ１８１と第２プロセッサ１８２は、分離された別途の部品によって具備されなければならないものではなく、１つのプログラムを保存及び／または実行するプロセッサ及び／または記録媒体でもあり、単一プロセッサ及び／または記録媒体において、プログラムの区分された領域を実行するために区画された領域でもある。
【００６４】
他の一実施形態によれば、前記コントローラ１８０は、お知らせ素子１８４をさらに含んでもよい。
前記お知らせ素子１８４は、前記センサ１８３と電気的に連結されたものであり、前記ニードルホルダ１４０がニードル貫通孔１５３に隣接した場合、知らせが発生するようにも具備される。前記お知らせ素子１８４は、光でお知らせ信号を示すことができる発光素子を含んでもよく、かつ／または前記お知らせ素子１８４は、音でもってお知らせ信号を示すことができるマイクロスピーカ素子を含んでもよく、かつ／または前記お知らせ素子１８４は、画面の表示として知らせを示すことができるディスプレイ素子を含んでもよい。
【００６５】
図９において、前記お知らせ素子１８４は、コントローラ１８０に含まれる構成であるように示されているが、必ずしもそれに限定されるものではなく、別個の部品で構成されてもよい。
【００６６】
前記お知らせ素子１８４は、センサ１８３に電気的に連結されるだけではなく、第１プロセッサ１８１及び／または第２プロセッサ１８２に電気的に連結され、それにより、センサ１８３によるセンシングだけではなく、他の動作状態についても、ユーザに知らせを提供することができる。
【００６７】
前述のように構成された一実施形態による薬液注入装置１００は、ユーザが、この薬液注入装置１００を使用する部位に、第２ケーシング１５０の外面を位置させた状態で、ユーザがボタン１２０を加圧することにより、ボタン１２０とニードルホルダ１４０とが互いに結合し、ユーザがボタン１２０を回転させることにより、スプリング１３０の弾性により、ニードルホルダ１４０がニードルＮＤ刺し込み方向Ｋにスライディングされ、ニードルＮＤの瞬間的刺し込みが可能になる。このとき、前記ボタン１２０の加圧により、スプリング１３０は、十分に圧縮された状態になり、スプリング１３０の弾性を利用したニードルＮＤの瞬間的刺し込み効果が高くなる。かようなニードルＮＤの瞬間的刺し込みにより、患者の苦痛と恐怖感は、最小化される。このとき、ニードルホルダ１４０が、ニードル貫通孔１５３に隣接しているか否かということ、すなわち、ニードルホルダ１４０が、ニードル貫通孔１５３周囲の第２ケーシング１５０の部分に接しているか否かということをセンシングすることにより、ニードルＮＤが、ニードル貫通孔１５３を経て十分に突出されたか否かということを簡便に判断することができ、それにより、ユーザが薬液の損失なしに、正確なタイミングで薬液を注入することができ、ニードル刺し込みに対する恐怖感により、ニードル刺し込みを躊躇する憂慮を減らすことができる。
【００６８】
一実施形態によれば、例えば、図１０Ａから分かるように、ニードルホルダ１４０が回転していない第１状態において、ニードルホルダ１４０は、第２ケーシング１５０のベース１５１から離隔された状態になる。この状態では、ニードルは、患者の体に刺し込まれる前になる。この第１状態において、ニードルホルダ１４０の第１サポート１４６は、ガイディング部材１５５の第２サポート１５４と当接し、互いに支持している状態になる。このとき、一実施形態によれば、第１サポート１４６と第２サポート１５４は、互いに噛み合う構造を有し、それにより、サポート溝１４６ａと第２−１サポート部１５４ａとが互いに接し、サポートストッパ１４６ｂと第２−２サポート部１５４ｂとが互いに接するように具備されている。従って、第１状態において、ニードルホルダ１４０は、さらに安定してガイディング部材１５５の端部に支持された状態が維持される。
【００６９】
ユーザがボタン１２０を回転させることにより、ニードルホルダ１４０が回転方向Ｒ１に沿って回転すれば、サポートストッパ１４６ｂと第２−１サポート部１５４ａとが互い違いになる方向に相対運動を行うことにより、前記回転に対する抵抗力をニードルホルダ１４０に与えることができる。もしユーザが、この抵抗力を超える力でボタン１２０を回すことにより、ニードルホルダ１４０に前記抵抗力を超える回転力が加えられれば、サポートストッパ１４６ｂが第２−１サポート部１５４ａを越して行き、ガイディング溝１４４にガイディング部材１５５が進入する。
【００７０】
前記ガイディング溝１４４とガイディング部材１５５は、それぞれＸ軸方向に、第１幅Ｗ１及び第２幅Ｗ２を有する。ガイディング溝１４４にガイディング部材１５５が円滑に挿入されるように、前記第１幅Ｗ１は、第２幅Ｗ２を超えることができる。
【００７１】
かように、ユーザがボタン１２０を回転させることにより、ニードルホルダ１４０が完全に回転された状態である第２状態になれば、図１０Ｂから分かるように、ニードルホルダ１４０は、ガイディング溝１４４にガイディング部材１５５が嵌め込まれた状態で、ガイディング部材１５５に沿ってスライディングされ、第２ケーシング１５０のベース１５１に向け、ニードルホルダ１４０が駆動し、それにより、ニードルＮＤは、患者の体に刺し込まれる。
【００７２】
本発明は、かように、スプリングの圧縮された力を瞬間的に発散させることにより、ニードルホルダをベースに向けて駆動させ、それにより、ニードルホルダに結合されたニードルが患者の体に瞬間的に刺し込み可能になる。
【００７３】
前記実施形態による薬液注入装置は、ニードルホルダの回転に抵抗力を与え、ユーザをして、この抵抗力を超える回転力をボタンに加えさせるように誘導するために、前記ニードルホルダの第１サポート１４６と、ガイディング部材１５５の第２サポート１５４とを具備したが、本発明は、必ずしもそれに限定されるものではない。すなわち、必ずしもニードルホルダの回転に抵抗力を提供する必要はなく、ユーザによるニードルホルダの回転により、スプリングの弾性力を利用し、ニードルホルダが迅速にスライディング駆動し、それにより、ニードルが患者の体に瞬間的に刺し込まれれば、本発明の権利範囲に含まれるものであると言えるのである。
【００７４】
他の一実施形態による薬液注入装置は、ユーザが使用する前に、ニードルを保護するように、ニードルカバー組み立て体をさらに含んでもよい。
【００７５】
図１１は、一実施形態によるニードルカバー組み立て体１９０の斜視図である。
ニードルカバー組み立て体１９０は、カバープレート１９１を含んでもよいが、前記カバープレート１９１は、平板プレートによって具備され、一端が取っ手１９１ａになり、ユーザがこの取っ手１９１ａを利用し、ニードルカバー組み立て体１９０をケーシングから分離させることができる。
【００７６】
ニードルカバー組み立て体１９０は、ニードルカバー１９２を含んでもよいが、ニードルカバー１９２は、第２ケーシング１５０のベース１５１に具備されたニードル貫通孔１５３に挿入される。図面に図示されていないが、前記ニードルカバー１９２は、密閉空間を含み、この密閉空間に、ニードルの先端が一定部分挿入されている。前記密閉空間は、空気は通過するが、液体は通過しない材質によって形成された部分、または体積変化が可能な部分を含んでもよいが、それにより、ユーザが使用する前、ニードル内部及び／またはチューブ内部の空気を抜き取るプライミング（priming）作業時、薬液が外部に吐出されないようにする。
【００７７】
本発明は、添付された図面に図示された一実施形態を参照に説明されたが、それらは、例示的なものに過ぎず、当該技術分野で当業者であるならば、それらから多様な変形、及び均等な他の実施形態が可能であるという点を理解することができるであろう。従って、本発明の真の保護範囲は、特許請求の範囲によってのみ決められるものである。
【産業上の利用可能性】
【００７８】
本発明の実施形態は、インシュリン注入装置のように、患者の体内に薬液を注入するために使用される多様な薬液注入装置に適用される。
【図１】
2019507665.tif 000003
【図２】
2019507665.tif 000004
【図３】
2019507665.tif 000005
【図４】
2019507665.tif 000006
【図５】
2019507665.tif 000007
【図６】
2019507665.tif 000008
【図７】
2019507665.tif 000009
【図８】
2019507665.tif 000010
【図９】
2019507665.tif 000011
【図１０ａ】
2019507665.tif 000012
【図１０ｂ】
2019507665.tif 000013
【図１１】
2019507665.tif 000014
【国際調査報告】
2019507665.tif 000015
2019507665.tif 000016
2019507665.tif 000017
2019507665.tif 000018